(57)【要約】【課題】  ベルトへの装着が簡単でベルトから不測に外れるおそれがなく確実に装着することができるベルト長さ調整具を提供する。【解決手段】  一対の第１辺部９と一対の第２辺部１０とを有する矩形の枠体１１と、一対の第２辺部１０に連結された中央連結体１２とを備え、中央連結体１２と一対の第１辺部９との間にそれぞれベルト挿通孔１４が形成されたベルト長さ調整具において、中央連結体１２が枠体１１とは別体に構成され、中央連結体１２の両端部に、直交方向に突出した一対の係合突出片１６が設けられ、係合突出片１６の先端部に係合突起１７が設けられ、枠体１１の一対の第２辺部１０に、突出片挿通部２０が設けられ、中央連結体１２の係合突出片１６を突出片挿通部２０に挿通したとき、係合突出片１６を抜け止めすべく係合突起１７が突出片挿通部２０の挿通側開口縁部に係合するようにした。【選択図】図１
2012051471.tif 000002
【特許請求の範囲】
【請求項１】
一対の第１辺部（９）と一対の第２辺部（１０）とを有する矩形の枠体（１１）と、一対の第１辺部（９）間を通るように一対の第２辺部（１０）に連結された中央連結体（１２）とを備え、中央連結体（１２）と一対の第１辺部（９）との間にそれぞれベルト挿通孔（１４）が形成されたベルト長さ調整具において、
中央連結体（１２）が枠体（１１）とは別体に構成され、中央連結体（１２）の両端部に、直交方向に突出した一対の係合突出片（１６）が設けられ、係合突出片（１６）の先端部に係合突起（１７）が設けられ、枠体（１１）の一対の第２辺部（１０）に、突出片挿通部（２０）が設けられ、中央連結体（１２）の係合突出片（１６）を突出片挿通部（２０）に挿通したとき、係合突出片（１６）を抜け止めすべく係合突起（１７）が突出片挿通部（２０）の挿通側開口縁部に係合するようにしたことを特徴とするベルト長さ調整具。
【請求項２】
前記係合突起（１７）は、係合突出片（１６）の先端部に中央連結体（１２）の長手方向内方に向けて突出され、前記一対の第２辺部（１０）の中央側の辺部対向方向内側に取付凹部（１９）が設けられ、取付凹部（１９）の辺部対向方向外側に前記突出片挿通部（２０）が設けられ、突出片挿通部（２０）の辺部対向方向内側に係止片（２１）が取付凹部（１９）の内側壁間に連結するように設けられ、
中央連結体（１２）の係合突出片（１６）を突出片挿通部（２０）に挿通したとき、係合突出片（１６）を抜け止めすべく係合突起（１７）が係止片（２１）の端縁部に係合するようにしたことを特徴とする請求項１に記載のベルト長さ調整具。
【請求項３】
中央連結体（１２）の一対の係合突出片（１６）間に嵌合凸部（２２）が設けられ、この嵌合凸部（２２）は一対の係合突出片（１６）から係止片（２１）の厚み分だけ離間しており、中央連結体（１２）の一対の係合突出片（１６）を一対の突出片挿通部（２０）にそれぞれ挿通したとき、嵌合凸部２２が一対の係止片（２１）間に嵌合するように構成されていることを特徴とする請求項２に記載のベルト長さ調整具。
【請求項４】
前記枠体（１１）は一対の第１辺部（９）の長手方向中央の直交面で対称になると共に一対の第２辺部（１０）の長手方向中央の直交面で対称になるように形成され、
前記中央連結体（１２）は長手方向中央の直交面で対称になると共に幅方向中央の直交面で対称になるように形成されていることを特徴とする請求項１〜３のいずれかに記載のベルト長さ調整具。
【請求項５】
中央連結体（１２）の係合突出片（１６）を突出片挿通部（２０）に枠体（１１）の厚み方向のどちら側から挿入しても組み付けられるように、前記枠体（１１）は厚み方向中央の直交面で対称になるように形成されていることを特徴とする請求項１〜４のいずれかに記載のベルト長さ調整具。
【発明の詳細な説明】
【技術分野】
【０００１】
本発明は、シートベルトや荷掛けベルト等のベルト長さ調整具に関するものである。
【背景技術】
【０００２】
従来のベルト長さ調整具には、一対の第１辺部と一対の第２辺部とを有する矩形の枠体と、一対の第１辺部間を通るように一対の第２辺部に連結された中央連結体とを備え、中央連結体を一対の第２辺部に一体に連結して日字形に形成したものがあるが、このベルト長さ調整具では、一対のベルト挿通孔にベルトを波形に挿通した後、連結部材等に挿入して折り返し再び一対のベルト挿通孔に波形に通す必要があり、ベルト長さ調整具のベルトへの装着が非常に面倒であった。
【０００３】
そこで、従来のベルト長さ調整具には、中央連結体の一端部を一対の第２辺部の一方に揺動自在に連結すると共に、中央連結体の他端部に一対の第２辺部の他方にフックにより着脱自在に係止するようにしたものがある（例えば特許文献１）。
また、従来のベルト長さ調整具には、矩形の枠体に第１クロスバー、第２クロスバー等を長手方向に摺動自在に連結するようにしたものもある（例えば特許文献２）。
【先行技術文献】
【特許文献】
【０００４】
【特許文献１】実開平５−５４１１５号公報
【特許文献２】特公平４−６４８９４号公報
【発明の概要】
【発明が解決しようとする課題】
【０００５】
この種の従来のベルト長さ調整具では、前者の場合、ベルトへの装着が容易であるが、ベルトを引っ張ると、フックが外れる方向に力がかかり、ベルト長さ調整具がベルトから不測に外れるおそれが大であった。
また、後者の場合、ベルトのクロスバー等への巻回等が複雑で、ベルト長さ調整具のベルトへの装着が面倒であった。
【０００６】
本発明は上記問題点に鑑み、ベルトへの装着が簡単でベルトから不測に外れるおそれがなく確実に装着することができるベルト長さ調整具を提供することを目的とする。
【課題を解決するための手段】
【０００７】
この技術的課題を解決する本発明の技術的手段は、一対の第１辺部（９）と一対の第２辺部（１０）とを有する矩形の枠体（１１）と、一対の第１辺部（９）間を通るように一対の第２辺部（１０）に連結された中央連結体（１２）とを備え、中央連結体（１２）と一対の第１辺部（９）との間にそれぞれベルト挿通孔（１４）が形成されたベルト長さ調整具において、
中央連結体（１２）が枠体（１１）とは別体に構成され、中央連結体（１２）の両端部に、直交方向に突出した一対の係合突出片（１６）が設けられ、係合突出片（１６）の先端部に係合突起（１７）が設けられ、枠体（１１）の一対の第２辺部（１０）に、突出片挿通部（２０）が設けられ、中央連結体（１２）の係合突出片（１６）を突出片挿通部（２０）に挿通したとき、係合突出片（１６）を抜け止めすべく係合突起（１７）が突出片挿通部（２０）の挿通側開口縁部に係合するようにした点にある。
【０００８】
また、本発明の他の技術的手段は、前記係合突起（１７）は、係合突出片（１６）の先端部に中央連結体（１２）の長手方向内方に向けて突出され、前記一対の第２辺部（１０）の中央側の辺部対向方向内側に取付凹部（１９）が設けられ、取付凹部（１９）の辺部対向方向外側に前記突出片挿通部（２０）が設けられ、突出片挿通部（２０）の辺部対向方向内側に係止片（２１）が取付凹部（１９）の内側壁間に連結するように設けられ、
中央連結体（１２）の係合突出片（１６）を突出片挿通部（２０）に挿通したとき、係合突出片（１６）を抜け止めすべく係合突起（１７）が係止片（２１）の端縁部に係合するようにした点にある。
【０００９】
また、本発明の他の技術的手段は、中央連結体（１２）の一対の係合突出片（１６）間に嵌合凸部（２２）が設けられ、この嵌合凸部（２２）は一対の係合突出片（１６）から係止片（２１）の厚み分だけ離間しており、中央連結体（１２）の一対の係合突出片（１６）を一対の突出片挿通部（２０）にそれぞれ挿通したとき、嵌合凸部（２２）が一対の係止片（２１）間に嵌合するように構成されている点にある。
【００１０】
また、本発明の他の技術的手段は、前記枠体（１１）は一対の第１辺部（９）の長手方向中央の直交面で対称になると共に一対の第２辺部（１０）の長手方向中央の直交面で対称になるように形成され、
前記中央連結体（１２）は長手方向中央の直交面で対称になると共に幅方向中央の直交面で対称になるように形成されている点にある。
【００１１】
また、本発明の他の技術的手段は、中央連結体（１２）の係合突出片（１６）を突出片挿通部（２０）に枠体（１１）の厚み方向のどちら側から挿入しても組み付けられるように、前記枠体（１１）は厚み方向中央の直交面で対称になるように形成されている点にある。
【発明の効果】
【００１２】
本発明によれば、ベルト長さ調整具をベルトに装着する場合、枠体から中央連結体を取り外した状態で、一対の第１辺部間に二重にしたベルトの中途部を挿入し、その後挿入したベルトの中途部内に中央連結体を入れてその一対の係合突出片をそれぞれ突出片挿通部に挿通すればよく、係合突出片の係合突起が突出片挿通部の挿通側開口縁部に係合され、中央連結体が枠体に抜け止めされて組み付けられ、二つ折りにしたベルトが一対のベルト挿通孔に挿通された状態になる。この場合、一対のベルト挿通孔から突出したベルトの両端部を引っ張ると、ベルトは中央連結体を枠体１１に押し込む方向に作用するため、中央連結体が枠体から不測に外れるおそれがなくベルトにベルト長さ調整具を簡単かつ確実に装着することができる。
【図面の簡単な説明】
【００１３】
【図１】本発明の一実施形態を示すベルト長さ調整具部分の斜視図である。
【図２】同長さ調整具をベルトに装着する工程を示す斜視図である。
【図３】同ベルト長さ調整具の分解斜視図である。
【図４】同枠体の平面図である。
【図５】同枠体の半欠側断面図である。
【図６】同中央連結体の側面図である。
【図７】同中央連結を枠体に組み付けた状態の長さ調整具部分の側面断面図である。
【図８】同ベルト全体の斜視図である。
【図９】同ベルト係止具部分の側面断面図である。
【図１０】同ベルト係止具部分の斜視図である。
【発明を実施するための形態】
【００１４】
以下、本発明の実施の形態を図面に基づいて説明する。
図８において、ベルト１は、例えば自転車用幼児座席に使用されるシートベルトの一部を構成するもので、一端部は自転車用幼児座席の座部に設けられた繰り出しベルトに雄雌のベルト連結具３を介して着脱自在に連結され、他端部は後述するベルト係止具２５により自転車用幼児座席の背凭れ部等に装着される。
【００１５】
ベルト１の一端側はベルト連結具３のベルト係止孔４に挿通されており、折り返されて二重になったベルト１の中途部にベルト長さ調整具５が取り付けられている。ベルト１の他端部は２つ折りに折り返されて縫着されることにより環状部７が形成されている。
図１〜図７において、ベルト長さ調整具５は合成樹脂等により構成され、一対の第１辺部９と一対の第２辺部１０とを有する矩形の枠体１１と、一対の第１辺部９間を通るように一対の第２辺部１０に連結された中央連結体１２とを備え、中央連結体１２と一対の第１辺部９との間にそれぞれベルト挿通孔１４が形成されている。
【００１６】
中央連結体１２は枠体１１とは別体に構成され、中央連結体１２の両端部に、直交方向に突出した一対の係合突出片１６が設けられ、係合突出片１６の先端部に係合突起１７が設けられている。係合突起１７は、係合突出片１６の先端部に中央連結体１２の長手方向内方に向けて突出されている。
一対の第２辺部１０の中央側の辺部対向方向内側に取付凹部１９が設けられ、取付凹部１９の辺部対向方向外側に貫通孔により構成した突出片挿通部２０が設けられ、突出片挿通部２０の辺部対向方向内側に係止片２１が取付凹部１９の内側壁間に連結するように設けられている。中央連結体１２の係合突出片１６を突出片挿通部２０に挿通したとき、図７に示す如く係合突出片１６を抜け止めすべく係合突起１７が係止片２１の端縁部（突出片挿通部２０の挿通側開口縁部）に係合するように構成されている。
【００１７】
中央連結体１２の一対の係合突出片１６間に嵌合凸部２２が設けられ、この嵌合凸部２２は一対の係合突出片１６から係止片２１の厚み分だけ離間しており、中央連結体１２の一対の係合突出片１６を一対の突出片挿通部２０にそれぞれ挿通したとき、嵌合凸部２２が一対の係止片２１間に嵌合するように構成されている。また、中央連結体１２の一対の係合突出片１６を突出片挿通部２０に挿通したとき、中央連結体１２の上面が枠体１１の上面又は下面と面一になるように構成されている。中央連結体１２の上面にはベルト１が滑らないようにするための細かな凹凸等による滑り止め２３が施されている。
【００１８】
枠体１１は一対の第１辺部９の長手方向中央の直交面Ａ１で対称になると共に一対の第２辺部１０の長手方向中央の直交面Ａ２で対称になるように形成されている。中央連結体１２は長手方向中央の直交面Ｂ１で対称になると共に幅方向中央の直交面Ｂ２で対称になるように形成されている。枠体１１は厚み方向中央の直交面Ａ３で対称になるように形成され、中央連結体１２の係合突出片１６を突出片挿通部２０に枠体１１の厚み方向のどちら側から挿入しても中央連結体１２が枠体１１に組み付けられるようになっている。
【００１９】
図９及び図１０に示すように、ベルト１の環状部７を、例えば自転車用幼児座席の背凭れ部等に形成したベルト挿通窓２６に挿通して抜け止めするためのベルト係止具２５が設けられている。ベルト係止具２５は合成樹脂等により構成され、ベルト１の環状部７が巻回されるベルト係止片２８を備え、ベルト係止片２８の両端部にずれ止め凸部２９が設けられ、ベルト係止片２８と一対のずれ止め凸部２９との間にベルト係止凹部３０が形成されている。ベルト係止片２８の両端部にベルト挿通窓２６の両端部に挿通される一対の係合突片３１が突設され、一対の係合突片３１の先端部にその係合突片３１の対向方向外方に突出した係合突部３２が設けられている。一対の係合突片３１をベルト挿通窓２６の両端部に挿通することにより、一対の係合突片３１を抜け止めすべく係合突部３２がベルト挿通窓２６の挿通側の開口縁部に係合するようになっている。
【００２０】
上記実施形態によれば、ベルト長さ調整具５をベルト１に装着する場合、図２に示すように、枠体１１から中央連結体１２を取り外した状態で、一対の第１辺部９間に二重にしたベルト１の中途部を挿入し、その後挿入したベルト１の中途部内に中央連結体１２を入れてその一対の係合突出片１６をそれぞれ突出片挿通部２０に挿通すればよく、図１及び図７に示すように、係合突出片１６の係合突起１７が突出片挿通部２０の挿通側開口縁部に係合され、中央連結体１２が枠体１１に抜け止めされて組み付けられ、二つ折りにしたベルト１が一対のベルト挿通孔１４に挿通された状態になる。この場合、一対のベルト挿通孔１４から突出したベルト１の両端部を引っ張ると、ベルト１は中央連結体１２を枠体１１に押し込む方向に作用するため、中央連結体１２が枠体１１から不測に外れるおそれがなくベルト１にベルト長さ調整具５を簡単かつ確実に装着することができる。
【００２１】
また、中央連結体１２の一対の係合突出片１６を一対の突出片挿通部２０にそれぞれ挿通したとき、嵌合凸部２２が一対の係止片２１間に嵌合するし、このとき、嵌合凸部２２と一対の係合突出片１６とで係止片２１をそれぞれ挟持することができ、これらの点からも、中央連結体１２が枠体１１から不測に外れるおそれがなくなり、ベルト１にベルト長さ調整具５をより確実に装着することができる。
【００２２】
また、枠体１１は一対の第１辺部９の長手方向中央の直交面Ａ１で対称になると共に一対の第２辺部１０の長手方向中央の直交面Ａ２で対称になるように形成され、中央連結体１２は長手方向中央の直交面Ｂ１で対称になると共に幅方向中央の直交面Ｂ２で対称になるように形成されているので、中央連結体１２を枠体１１に組み付ける場合、中央連結体１２は枠体１１に対して長手方向の中央部廻りに１８０°反転させて長手方向のどちら側からでも中央連結体１２の係合突出片１６を突出片挿通部２０に挿入して中央連結体１２を枠体１１に組み込むことができる。また、枠体１１は厚み方向中央の直交面Ａ３で対称になるように形成されているので、図７に示す如く中央連結体１２の係合突出片１６を突出片挿通部２０に枠体１１の厚み方向のどちら側から挿入しても中央連結体１２を枠体１１に組み付けることができ、より一層簡単にベルト長さ調整具５をベルト１に装着することができ、便利である。
【００２３】
また、ベルト１の環状部７を、自転車用幼児座席の背凭れ部等に形成したベルト挿通窓２６に取り付ける場合、図１０に示すように、ベルト１の環状部７をベルト挿通窓２６に挿通した後、ベルト係止具２５を環状部７に挿入して、ベルト挿通窓２６の両端部から一対の係合突片３１を挿通し、ベルト１の環状部７を矢印ａ方向に引っ張ればよく、図９に示すように、一対の係合突片３１の係合突部３２がベルト挿通窓２６の挿通側の開口縁部に係合して、ベルト係止具２５が自転車用幼児座席の背凭れ部等に固着され、ベルト係止片２８と一対のずれ止め凸部２９との間のベルト係止凹部３０に、ベルト１の環状部７が巻回係止されて、一対のずれ止め凸部２９との間にベルト１の環状部７がずれ止めされてベルト１の環状部７が自転車用幼児座席の背凭れ部等に確実かつ簡単に係止される。
【００２４】
なお、前記実施の形態では、係合突起１７は、係合突出片１６の先端部に中央連結体１２の長手方向内方に向けて突出されているが、これに代え、係合突起１７を、係合突出片１６の先端部に中央連結体１２の長手方向外方に向けて突出させるようにしてもよい。そして、この場合、係合突起１７を突出片挿通部２０の挿通側開口縁部の外方側に係合させるようにすればよい。
【００２５】
また、図例では、一対の第１辺部９が一対の第２辺部１０よりも長く形成されているが、これに代え、中央連結体１２が連結される一対の第２辺部１０を一対の第１辺部９よりも長く形成するようにしてもよい。
また、前記実施形態では、枠体１１の一対の第２辺部１０に、貫通孔により構成した突出片挿通部２０が設けられているが、これに代え、一対の第２辺部１０の外端部に凹部を形成することにより、突出片挿通部２０を構成するようにしてもよい。
【符号の説明】
【００２６】
１    ベルト
５    ベルト長さ調整具
９    第１辺部
１０    第２辺部
１１    枠体
１２    中央連結体
１４    ベルト挿通孔
１６    係合突出片
１７    係合突起
１９    取付凹部
２０    突出片挿通部
２１    係止片
２２    嵌合凸部
【図１】
2012051471.tif 000003
【図２】
2012051471.tif 000004
【図３】
2012051471.tif 000005
【図４】
2012051471.tif 000006
【図５】
2012051471.tif 000007
【図６】
2012051471.tif 000008
【図７】
2012051471.tif 000009
【図８】
2012051471.tif 000010
【図９】
2012051471.tif 000011
【図１０】
2012051471.tif 000012